(57)【要約】【課題】供給対象に対する電源供給の開始時間を短縮する。【解決手段】外部電源Ｐｅを入力したときに作動用電源Ｐｏを生成する電源部１１と、作動用電源Ｐｏの開始操作が可能な電源スイッチ１３と、電源部１１が外部電源Ｐｅを入力したときに開始操作の有無に拘わらず作動用電源Ｐｏを供給する第１供給処理と電源部１１が外部電源Ｐｅを入力しかつ開始操作がされたときに作動用電源Ｐｏを供給する第２供給処理とを実行する電源制御部１４と、ＣＫ信号Ｓｃｋを出力する第１のモードおよび出力を停止する第２のモードに設定可能なリアルタイムクロック１６とを備え、電源制御部１４は、リアルタイムクロック１６が第１のモードに設定されている状態で電源部１１が外部電源Ｐｅを入力しているときに第１供給処理を実行し、リアルタイムクロック１６が第２のモードに設定されている状態で電源部１１が外部電源Ｐｅを入力したときに第２供給処理を実行する。【選択図】図１
2015126588.tif 000002
【特許請求の範囲】
【請求項１】
外部電源を入力したときに当該外部電源から作動用電源を生成する電源部と、供給対象に対する前記作動用電源の供給開始を指示する開始操作および当該作動用電源の供給停止を指示する停止操作が可能な操作部と、前記電源部が前記外部電源を入力したときに前記操作部に対する前記開始操作の有無に拘わらず前記供給対象に対して前記生成した作動用電源を供給する第１供給処理と当該電源部が前記外部電源を入力している状態でかつ前記開始操作がされたときに当該供給対象に対して当該生成した作動用電源を供給する第２供給処理とを実行する電源制御部とを備え、
内部電源で常時作動すると共に、クロック信号を出力する第１のモードおよび当該クロック信号の出力を停止する第２のモードに設定可能なリアルタイムクロックを備え、
前記電源制御部は、前記開始操作の有無に拘わらず作動して、前記リアルタイムクロックが前記第１のモードおよび前記第２のモードのうちのいずれか一方のモードに設定されている状態において前記電源部が前記外部電源を入力しているときに前記第１供給処理を実行し、前記リアルタイムクロックが前記第１のモードおよび前記第２のモードのうちの他方のモードに設定されている状態において前記電源部が前記外部電源を入力したときに前記第２供給処理を実行する電子機器。
【請求項２】
前記電源制御部は、前記作動用電源に基づくクリア信号を入力するＣＬＲ端子、開始操作の際に出力される操作信号を入力するＰＲ端子、前記作動用電源に基づくＤ信号を入力するＤ端子、前記クロック信号を入力するＣＫ端子、および前記電源部に対して前記作動用電源の供給の開始を指示するＱ信号を出力するＱ端子を有するＤ型フリップフロップを備えて構成されて、前記電源部による前記外部電源の入力の有無および前記クロック信号の出力の有無に応じて前記Ｑ信号の出力および出力停止を行って前記第１供給処理および前記第２供給処理を実行する請求項１記載の電子機器。
【請求項３】
前記供給対象に対して前記作動用電源が供給されたときに当該作動用電源によって作動すると共に前記リアルタイムクロックを前記いずれか一方のモードに設定し、前記供給対象に対して前記作動用電源が供給されている状態で前記停止操作がされたときに前記リアルタイムクロックを前記他方のモードに設定するクロック制御部を備えている請求項１または２記載の電子機器。
【発明の詳細な説明】
【技術分野】
【０００１】
本発明は、外部電源から作動用電源を生成する電源部と、供給対象に対する作動用電源の供給を制御する電源制御部とを備えた電子機器に関するものである。
【背景技術】
【０００２】
この種の電子機器として、下記特許文献１に開示された電子機器が知られている。この電子機器は、主電源から供給される交流電力をＤＣ電圧に変換するスイッチング電源、スイッチング電源によって変換されたＤＣ電圧を負荷に適した電圧に変換するＤＣ−ＤＣコンバータ、電源のオン／オフ状態を切り換えるスイッチ、電源のオン／オフ状態やユーザによって選択されたモードの情報を記録する不揮発メモリ、ＦＥＴを制御して負荷に対する電力の供給を制御するマイコン等を備えて構成されている。この電子機器では、スイッチが押されたときに出力されるパルス信号をマイコンが検知し、不揮発メモリに記録されている電源のオン／オフ状態やモードの情報を読み出し、その情報に従って負荷に対する電源のオン／オフ処理を行う。
【先行技術文献】
【特許文献】
【０００３】
【特許文献１】特開２００８−１８７８７１号公報（第４−５頁、第１図）
【発明の概要】
【発明が解決しようとする課題】
【０００４】
ところが、従来の電子機器には、改善すべき以下の課題がある。すなわち、上記の電子機器では、電源のオン／オフ状態やモードの情報を不揮発メモリに記録し、マイコンがその情報を読み出してその情報に従って負荷に対する電源のオン／オフ処理を行う。この場合、例えば、スイッチング電源に対する交流電力の供給が開始されたとき（電源コンセントに電源プラグが差し込まれたとき）にスイッチに対する操作の有無に拘わらず負荷に対する電力供給を直ちに開始する処理（第１処理）と、電源コンセントに電源プラグが差し込まれたときに負荷に対して直ちには電力供給を開始せずに待機し、スイッチに対する操作がされたときに電力供給を開始する処理（第２処理）とのいずれかを指定して実行させるような、比較的単純な処理を行う場合においても、第１処理および第２処理のいずれを実行するかを指定する情報を不揮発メモリに記録し、マイコンがその情報を読み出していずれかの処理を実行することとなる。この場合、不揮発メモリの構成によっては、情報の読み出しに時間を要することがある。このため、この電子機器には、上記のような比較的単純な処理を行う場合においても、不揮発メモリからの情報の読み出しに時間を要することに起因して、負荷に対する短時間での電力の供給開始が困難であるという課題が存在する。
【０００５】
本発明は、かかる課題に鑑みてなされたものであり、供給対象に対する電源供給の開始時間を短縮し得る電子機器を提供することを主目的とする。
【課題を解決するための手段】
【０００６】
上記目的を達成すべく請求項１記載の電子機器は、外部電源を入力したときに当該外部電源から作動用電源を生成する電源部と、供給対象に対する前記作動用電源の供給開始を指示する開始操作および当該作動用電源の供給停止を指示する停止操作が可能な操作部と、前記電源部が前記外部電源を入力したときに前記操作部に対する前記開始操作の有無に拘わらず前記供給対象に対して前記生成した作動用電源を供給する第１供給処理と当該電源部が前記外部電源を入力している状態でかつ前記開始操作がされたときに当該供給対象に対して当該生成した作動用電源を供給する第２供給処理とを実行する電源制御部とを備え、内部電源で常時作動すると共に、クロック信号を出力する第１のモードおよび当該クロック信号の出力を停止する第２のモードに設定可能なリアルタイムクロックを備え、前記電源制御部は、前記開始操作の有無に拘わらず作動して、前記リアルタイムクロックが前記第１のモードおよび前記第２のモードのうちのいずれか一方のモードに設定されている状態において前記電源部が前記外部電源を入力しているときに前記第１供給処理を実行し、前記リアルタイムクロックが前記第１のモードおよび前記第２のモードのうちの他方のモードに設定されている状態において前記電源部が前記外部電源を入力したときに前記第２供給処理を実行する。
【０００７】
また、請求項２記載の電子機器は、請求項１記載の電子機器において、前記電源制御部は、前記作動用電源に基づくクリア信号を入力するＣＬＲ端子、開始操作の際に出力される操作信号を入力するＰＲ端子、前記作動用電源に基づくＤ信号を入力するＤ端子、前記クロック信号を入力するＣＫ端子、および前記電源部に対して前記作動用電源の供給の開始を指示するＱ信号を出力するＱ端子を有するＤ型フリップフロップを備えて構成されて、前記電源部による前記外部電源の入力の有無および前記クロック信号の出力の有無に応じて前記Ｑ信号の出力および出力停止を行って前記第１供給処理および前記第２供給処理を実行する。
【０００８】
また、請求項３記載の電子機器は、請求項１または２記載の電子機器において、前記供給対象に対して前記作動用電源が供給されたときに当該作動用電源によって作動すると共に前記リアルタイムクロックを前記いずれか一方のモードに設定し、前記供給対象に対して前記作動用電源が供給されている状態で前記停止操作がされたときに前記リアルタイムクロックを前記他方のモードに設定するクロック制御部を備えている。
【発明の効果】
【０００９】
請求項１記載の電子機器では、クロック信号を出力する第１のモードおよびクロック信号の出力を停止する第２のモードに設定可能なリアルタイムクロックを備え、電源制御部は、リアルタイムクロックが第１のモードおよび第２のモードのうちのいずれか一方のモードに設定されている状態において電源部が外部電源を入力しているときに第１供給処理を実行し、リアルタイムクロックが第１のモードおよび第２のモードのうちの他方のモードに設定されている状態において電源部が外部電源を入力したときに第２供給処理を実行する。このため、この電子機器では、電源部が外部電源を入力したときに第１供給処理および第２供給処理のいずれの処理を実行するかの情報をメモリに記録することなく、電源部が外部電源を入力したときのリアルタイムクロックのモードに応じて第１供給処理および第２供給処理のいずれかを実行させることができる。したがって、この電子機器によれば、このような情報をメモリに記録して作動用電源の供給を開始する際に情報をメモリから読み出す構成と比較して、情報の読み出しに要する時間を不要とすることができる分、供給対象に対する電源供給の開始時間を十分に短縮することができる。
【００１０】
また、請求項２記載の電子機器では、Ｄ型フリップフロップを備えて電源制御部が構成されている。この場合、例えば、第２供給処理を実行する際に、操作部に対する操作の有無をＣＰＵ等の主制御部が監視する構成では、監視のために主制御部に作動用電源を常時供給する必要がある。これに対して、この電子機器では、このような主制御部による監視を行うことなく、簡易な構成で低消費電力化が可能な電源制御部（Ｄ型フリップフロップ）の動作によって操作部に対して操作がされたときに第２供給処理を実行させることができる。このため、この電子機器によれば、主制御部による監視のための電力消費を削減することができる結果、電力消費量を低減することができる。
【００１１】
また、請求項３記載の電子機器によれば、作動用電源によって作動してリアルタイムクロックのモードの設定を制御するクロック制御部を備えたことにより、作動用電源とは別の電源で作動するクロック制御部を設けることなくリアルタイムクロックのモードの設定を確実に制御することができるため、このようなクロック制御部用の別の電源を設ける必要がない分、構成を簡易にすることができる。
【図面の簡単な説明】
【００１２】
【図１】測定装置１の構成を示す構成図である。
【図２】電源制御部１４の構成を示す構成図である。
【図３】測定装置１の動作を説明する第１の説明図である。
【図４】測定装置１の動作を説明する第２の説明図である。
【図５】測定装置１の動作を説明する第３の説明図である。
【図６】測定装置１の動作を説明する第４の説明図である。
【発明を実施するための形態】
【００１３】
以下、電子機器の実施の形態について、添付図面を参照して説明する。
【００１４】
最初に、電子機器の一例としての測定装置１の構成について、図面を参照して説明する。図１に示す測定装置１は、測定対象の被測定量（一例として、インピーダンス、インダクタンスおよび静電容量等の物理量）を測定可能に構成されている。具体的には、測定装置１は、同図に示すように、電源部１１、メインスイッチ１２、電源スイッチ１３、電源制御部１４、測定部１５、リアルタイムクロック１６（以下、「ＲＴＣ１６」ともいう）、および主制御部（ＣＰＵ）１７を備えて構成されている。
【００１５】
電源部１１は、一例としてＡＣ−ＤＣコンバータを備えて構成され、図１に示すように、外部から入力した外部電源Ｐｅ（例えば、商用交流電源）から作動用電源Ｐｏ（例えば、直流電源）を生成する。また、電源部１１は、電源制御部１４における後述するＤ型フリップフロップ２１の電源入力端子およびＤ端子、並びに電源制御部１４におけるリセットＩＣ２２および抵抗２３に対して、生成した作動用電源Ｐｏを生成開始から継続的に（後述する電源スイッチ１３による開始操作の有無に拘わらず）出力する（図２参照）。また、電源部１１は、電源制御部１４の制御に従い、作動用電源Ｐｏを供給対象の一例としての測定部１５および主制御部１７に供給する。具体的には、電源部１１は、電源制御部１４のＤ型フリップフロップ２１から出力されるＱ信号Ｓｑに従い、図外のスイッチを作動させて作動用電源Ｐｏを測定部１５および主制御部１７に供給する（図２，３参照）。
【００１６】
メインスイッチ１２は、図１に示すように、外部電源Ｐｅが供給されている電源コンセントに差し込まれる電源プラグ（いずれも図示せず）と電源部１１との間に配設されて、接続操作および切断操作に応じて、電源部１１への外部電源Ｐｅの入力および入力停止（電源コンセントと電源部１１との接続および切断）を行う。
【００１７】
電源スイッチ１３は、操作部に相当し、供給対象としての測定部１５および主制御部１７に対する作動用電源Ｐｏの供給開始を指示する開始操作、および作動用電源Ｐｏの供給停止を指示する停止操作を行うことが可能となっている。具体的には、電源スイッチ１３は、一例として、モーメンタリスイッチとして機能するプッシュスイッチで構成されて、図１，２に示すように、後述する抵抗２３および低電位（接地電位）の間に接続されている。この場合、電源スイッチ１３に対するプッシュ操作に応じて、ローレベルおよびハイレベルのＰＲ信号Ｓｐｒ（図３参照）が、電源制御部１４のＤ型フリップフロップ２１のＰＲ端子および主制御部１７に出力される。また、後述するように、ＰＲ信号Ｓｐｒのレベルの変化によって供給対象に対する作動用電源Ｐｏの供給開始および供給停止が行われる。つまり、電源スイッチ１３に対するプッシュ操作が開始操作および停止操作に相当する。
【００１８】
電源制御部１４は、電源スイッチ１３による開始操作の有無に拘わらず電源部１１から出力される作動用電源Ｐｏを入力して作動して、供給対象としての測定部１５および主制御部１７に対する作動用電源Ｐｏの供給および供給停止を制御する。具体的には、電源制御部１４は、電源部１１が外部電源Ｐｅを入力したときに電源スイッチ１３に対する開始操作の有無に拘わらず供給対象に対して作動用電源Ｐｏを供給する第１供給処理と、電源部１１が外部電源Ｐｅを入力している状態でかつ電源スイッチ１３に対する開始操作がされたときに供給対象に対して作動用電源Ｐｏを供給する第２供給処理とを実行する。
【００１９】
ここで、この測定装置１では、電源制御部１４は、ＲＴＣ１６が後述する第１のモード（第１のモードおよび第２のモードのうちのいずれか一方のモードの一例）に設定されている状態において電源部１１が外部電源Ｐｅを入力しているときに第１供給処理を実行し、ＲＴＣ１６が後述する第２のモード（第１のモードおよび第２のモードのうちの他方のモードの一例）に設定されている状態において電源部１１が外部電源Ｐｅを入力したときに第２供給処理を実行する。つまり、この測定装置１では、電源部１１が外部電源Ｐｅを入力したときに、設定されているＲＴＣ１６のモードに応じて、電源制御部１４が第１供給処理および第２供給処理のいずれかを実行する。
【００２０】
また、電源制御部１４は、一例として、図２に示すように、ＰＲ端子、ＣＬＲ端子、ＣＫ端子、Ｄ端子およびＱ端子を有するＤ型フリップフロップ２１（以下、「ＦＦ２１」ともいう）と、リセットＩＣ２２と、抵抗２３とを備えて構成されている。この場合、ＣＬＲ端子は、作動用電源Ｐｏに基づいて生成されるＣＬＲ信号Ｓｃｌｒ（図３参照）を入力し、ＰＲ端子は、電源スイッチ１３に対するプッシュ操作が行われたときに生成される操作信号としてのＰＲ信号Ｓｐｒ（同図参照）を入力する。また、Ｄ端子は、作動用電源ＰｏをＤ信号Ｓｄ（同図参照）として入力し、ＣＫ端子は、ＲＴＣ１６から出力される後述するＣＫ信号（クロック信号）Ｓｃｋ（同図参照）を入力する。さらに、Ｑ端子は、供給対象に対する作動用電源Ｐｏの供給を指示するＱ信号としてのＱ信号Ｓｑを電源部１１に出力する。なお、このＦＦ２１では、ＣＬＲ端子およびＰＲ端子がローアクティブにそれぞれ規定されている。
【００２１】
この測定装置１では、図３〜図６に示すように、ＦＦ２１が、電源部１１による外部電源Ｐｅの入力の有無、ＰＲ信号ＳｐｒやＣＬＲ信号Ｓｃｌｒのレベル、およびＣＫ信号Ｓｃｋの出力の有無などに応じてＱ信号Ｓｑを出力することにより、第１供給処理および第２供給処理が実行される。
【００２２】
測定部１５は、電源部１１から供給される作動用電源Ｐｏで作動し、主制御部１７の制御に従って測定対象（図示せず）の被測定量を測定する測定処理を実行する。
【００２３】
ＲＴＣ１６は、外部電源Ｐｅや作動用電源Ｐｏとは別の独立した内部電源（例えば、測定装置１内に配設された電池の直流電源）で常時作動して時刻を演算し、主制御部１７の要求に応じて時刻データを出力する。また、ＲＴＣ１６は、時刻の演算に用いるＣＫ信号Ｓｃｋ（例えば、３２７６８Ｈｚのパルス信号）を出力する第１のモード、およびＣＫ信号Ｓｃｋの出力を停止する第２のモード（第２のモードにおいても、時刻の演算は停止することなく継続する）のいずれかのモードを設定可能に構成されている。この場合、ＲＴＣ１６は、主制御部１７から出力されるモード指示信号Ｓｍに従って第１のモードおよび第２のモードを切り替える。
【００２４】
主制御部１７は、電源部１１から供給される作動用電源Ｐｏで作動し（つまり、供給対象であって）、測定部１５を制御する。また、主制御部１７は、クロック制御部として機能し、ＲＴＣ１６に対してモード指示信号Ｓｍを出力することにより、ＲＴＣ１６を上記した第１のモードおよび第２のモードのいずれかのモードに設定する。
【００２５】
具体的には、主制御部１７は、供給対象（測定部１５および主制御部１７自身）に対する作動用電源Ｐｏの供給が開始されたときにＲＴＣ１６を第１のモードに設定し、供給対象に対して作動用電源Ｐｏが供給されている状態で電源スイッチ１３によって停止操作がされたときにＲＴＣ１６を第２のモードに設定する。また、供給対象に対して作動用電源Ｐｏが供給されている状態で電源部１１が外部電源Ｐｅの入力を停止したとき（メインスイッチ１２に対する切断操作がされたとき）には、主制御部１７が作動を停止するため、ＲＴＣ１６は主制御部１７の作動停止の直前に設定されているモードを維持する。
【００２６】
また、主制御部１７は、供給対象に対して作動用電源Ｐｏが供給されている状態で電源スイッチ１３によって停止操作がされたときに、停止指示信号Ｓｃを電源部１１に出力して、供給対象に対する作動用電源Ｐｏの供給を停止させる。
【００２７】
次に、測定装置１の動作について、図面を参照して説明する。なお、初期状態において、ＲＴＣ１６が第１のモード（ＣＫ信号Ｓｃｋを出力するモード）に設定されているものとする。
【００２８】
この測定装置１では、電源プラグが電源コンセント（いずれも図示せず）に差し込まれている状態において、メインスイッチ１２に対して接続操作が操作されたときには、電源部１１が外部電源Ｐｅを入力する。次いで、電源部１１は、外部電源Ｐｅから作動用電源Ｐｏを生成する。この際に、生成された作動用電源Ｐｏが電源制御部１４に出力されて、電源制御部１４が作動する。
【００２９】
一方、初期状態においてＲＴＣ１６が第１のモードに設定されているため（つまり、ＲＴＣ１６が第１のモードに設定されている状態において電源部１１が外部電源Ｐｅを入力したため）、電源制御部１４は、第１供給処理を実行する。この第１供給処理では、電源制御部１４は、電源部１１が外部電源Ｐｅを入力したときに、電源スイッチ１３に対する開始操作の有無に拘わらず、供給対象としての測定部１５および主制御部１７に対する作動用電源Ｐｏの供給を開始する。
【００３０】
この第１供給処理について、図１〜図３を参照して詳細に説明する。まず、電源部１１が作動用電源Ｐｏを生成した際には、作動用電源Ｐｏが、電源制御部１４のＦＦ２１における電源端子に入力されると共にＤ端子（図２参照）にＤ信号Ｓｄとして入力される（図３参照）。また、電源部１１が生成した作動用電源Ｐｏが、電源制御部１４の抵抗２３（図２参照）に供給されて、ＰＲ信号Ｓｐｒ（図３参照）としてＦＦ２１のＰＲ端子（図２参照）に入力する。
【００３１】
また、電源制御部１４のリセットＩＣ２２（図２参照）が、電源部１１が生成した作動用電源Ｐｏを入力する。この場合、リセットＩＣ２２内部では、内部に入力容量を有しているため、作動用電源Ｐｏの入力開始直後においては、作動用電源Ｐｏによって充電される入力容量の電圧レベルが徐々に増加する。このため、図３に示すように、リセットＩＣ２２は、作動用電源Ｐｏのレベルが予め決められたレベルに達したときにＨ信号（ハイレベル信号）のＣＬＲ信号Ｓｃｌｒ（図３参照）をＦＦ２１のＣＬＲ端子（図２参照）に出力する。
【００３２】
一方、初期状態において、第１のモードに設定されているＲＴＣ１６が、ＣＫ信号Ｓｃｋを出力しているため、ＦＦ２１のＣＫ端子（図２参照）にＣＫ信号Ｓｃｋが出力される（図３参照）。この場合、図３に示すように、ＣＬＲ端子にＨ信号のＣＬＲ信号Ｓｃｌｒが入力した直後におけるＣＫ信号Ｓｃｋの立ち上がりに同期してＱ端子からＨ信号のＱ信号Ｓｑが出力される。
【００３３】
続いて、図３に示すように、Ｈ信号のＱ信号Ｓｑの出力に応じて、電源部１１が、図外のスイッチをオン状態に作動させて、供給対象としての測定部１５および主制御部１７に対する作動用電源Ｐｏの供給を開始する。これにより、主制御部１７が起動して各処理を開始する。このように、電源制御部１４は、ＲＴＣ１６が第１のモードに設定されている状態において電源部１１が外部電源Ｐｅを入力したとき（メインスイッチ１２に対する接続操作が行われたとき）には、電源スイッチ１３に対する開始操作の有無に拘わらず供給対象に対する作動用電源Ｐｏの供給を直ちに開始する第１供給処理を実行する。
【００３４】
次いで、主制御部１７は、図３に示すように、ＲＴＣ１６のモードを第１のモードに設定させるモード指示信号ＳｍをＲＴＣ１６に出力する。この場合、ＲＴＣ１６は、この時点において第１のモードに既に設定されているため、この第１のモードに設定された状態を維持する。
【００３５】
続いて、測定部１５に対して測定処理を実行させる際には、図外の操作部を操作して、測定処理の実行を指示する。これに応じて、主制御部１７は、測定部１５を制御して測定処理を実行させる。
【００３６】
次いで、測定が終了したときには、供給対象としての測定部１５および主制御部１７に対する作動用電源Ｐｏの供給を停止させる。具体的には、電源スイッチ１３に対してプッシュ操作を行う。この場合、図４に示すように、電源スイッチ１３に対してプッシュ操作がされている間だけ抵抗２３が低電位（接地電位）に接続されて、Ｌ信号（ローレベル信号）のＰＲ信号ＳｐｒがＰＲ端子に出力される。この際に、主制御部１７は、ＰＲ信号Ｓｐｒの立ち下がりに同期して、同図に示すように、ＲＴＣ１６のモードを第２のモードに設定させるモード指示信号ＳｍをＲＴＣ１６に出力する。
【００３７】
続いて、ＲＴＣ１６が、モード指示信号Ｓｍに従って第２のモードに設定し、図４に示すように、ＣＫ信号Ｓｃｋの出力を停止する。次いで、主制御部１７は、同図に示すように、作動用電源Ｐｏの供給を停止させるＨ信号の停止指示信号Ｓｃを電源部１１に出力する。この場合、電源部１１は、停止指示信号Ｓｃの立ち上がりに同期して、供給対象としての測定部１５および主制御部１７に対する作動用電源Ｐｏの供給を停止する。
【００３８】
続いて、メインスイッチ１２に対する切断操作を行う。これにより、図４に示すように、電源部１１が外部電源Ｐｅの入力を停止し、作動用電源Ｐｏの生成を停止する。また、これに伴い、ＰＲ信号Ｓｐｒ、ＣＬＲ信号ＳｃｌｒおよびＤ信号Ｓｄの入力、並びにＱ信号Ｓｑの出力が停止する。このように、電源スイッチ１３に対してプッシュ操作を行って供給対象に対する作動用電源Ｐｏの供給を停止した後に、メインスイッチ１２に対して切断操作を行ったときには、ＲＴＣ１６が第２のモードに設定された状態となった後に、電源部１１による作動用電源Ｐｏの生成が停止される。
【００３９】
次に、ＲＴＣ１６が第２のモードに設定されている状態において、メインスイッチ１２に対する接続操作が行われたときには、電源部１１が、外部電源Ｐｅを入力して、外部電源Ｐｅから作動用電源Ｐｏを生成する。
【００４０】
この時点では、ＲＴＣ１６が第２のモードに設定されているため、電源制御部１４は、第２供給処理を実行する。この第２供給処理では、電源制御部１４は、電源部１１が外部電源Ｐｅを入力している状態でかつ電源スイッチ１３に対するプッシュ操作（開始操作）がされたときに、供給対象としての測定部１５および主制御部１７に対する作動用電源Ｐｏの供給を開始する。
【００４１】
この第２供給処理について、図１，２，５を参照して詳細に説明する。まず、電源部１１が作動用電源Ｐｏを生成した際には、作動用電源Ｐｏが電源端子に入力されると共にＦＦ２１のＤ端子（図２参照）に入力される。また、作動用電源Ｐｏが、電源制御部１４の抵抗２３（図２参照）に供給されて、ＰＲ信号Ｓｐｒ（図５参照）としてＦＦ２１のＰＲ端子（図２参照）に入力する。
【００４２】
また、リセットＩＣ２２（図２参照）が、作動用電源Ｐｏを入力して、作動用電源Ｐｏのレベルが予め決められたレベルに達したときに（作動用電源Ｐｏの入力時点からある程度の時間が経過したときに）、図５に示すように、Ｈ信号のＣＬＲ信号ＳｃｌｒをＦＦ２１のＣＬＲ端子（図２参照）に出力する。
【００４３】
一方、図５に示すように、ＲＴＣ１６が第２のモードに設定されて、ＣＫ信号Ｓｃｋを出力していないため、Ｑ端子からはＨ信号のＱ信号Ｓｑが出力されない状態が継続する。
【００４４】
続いて、電源スイッチ１３に対してプッシュ操作がされたときには、電源スイッチ１３に対してプッシュ操作がされている間だけ抵抗２３が低電位（接地電位）に接続されて、ＰＲ信号Ｓｐｒが図５に示すようにＬ信号となる。この際には、ＰＲ端子にＬ信号が入力され、かつＣＬＲ端子にＨ信号が入力されるため、図５に示すように、Ｑ端子からＨ信号のＱ信号Ｓｑが出力される。
【００４５】
この場合、Ｑ端子からＨ信号のＱ信号Ｓｑが出力された時点で、図５に示すように、電源部１１が、供給対象としての測定部１５および主制御部１７に対する作動用電源Ｐｏの供給を開始し、主制御部１７が起動して各処理を開始する。このように、電源制御部１４は、ＲＴＣ１６が第２のモードに設定されている状態において電源部１１が外部電源Ｐｅを入力したとき（メインスイッチ１２に対する接続操作が行われたとき）には、供給対象としての測定部１５および主制御部１７に対する作動用電源Ｐｏの供給を直ちには開始せずに、電源スイッチ１３に対する開始操作（プッシュ操作）がされるまで待機し、開始操作がされたときに供給対象に対する作動用電源Ｐｏの供給を開始する。
【００４６】
続いて、主制御部１７は、図５に示すように、ＲＴＣ１６のモードを第１のモードに設定させるモード指示信号ＳｍをＲＴＣ１６に出力する。次いで、ＲＴＣ１６が、モード指示信号Ｓｍの立ち上がりに同期して第１のモードに設定されて、同図に示すように、ＣＫ信号Ｓｃｋの出力を開始する。
【００４７】
続いて、測定部１５に対して測定処理を実行させる際には、図外の操作部を操作して、測定処理の実行を指示する。これに応じて、主制御部１７は、測定部１５を制御して測定処理を実行させる。
【００４８】
一方、測定が終了したときに、例えば、電源スイッチ１３に対するプッシュ操作を行うことなく、メインスイッチ１２に対する切断操作を行ったときには、図６に示すように、主制御部１７がＲＴＣ１６を第２のモードに設定するモード指示信号Ｓｍを出力する以前に、主制御部１７に対する作動用電源Ｐｏの供給が停止する。このため、このときには、ＲＴＣ１６が第１のモード（主制御部１７に作動用電源Ｐｏの供給が停止される直前のモード）の状態に維持される。この状態でメインスイッチ１２に対する接続操作が行われたときには（電源部１１が外部電源Ｐｅを入力したときには）、上記したように、電源制御部１４は、第１供給処理を実行して、電源スイッチ１３に対する開始操作の有無に拘わらず、供給対象に対する作動用電源Ｐｏの供給を直ちに開始する。
【００４９】
つまり、この測定装置１では、作動用電源Ｐｏが停止されたときの態様（切断方法）をメモリに記録することなく、次にメインスイッチ１２に対して接続操作をしたときのＲＴＣ１６のモードに応じて第１供給処理および第２供給処理のいずれかを実行させることが可能となっている。
【００５０】
このように、この測定装置１では、ＣＫ信号Ｓｃｋを出力する第１のモードおよびＣＫ信号Ｓｃｋの出力を停止する第２のモードに設定可能なＲＴＣ１６を備え、電源制御部１４は、ＲＴＣ１６が第１のモードに設定されている状態において電源部１１が外部電源Ｐｅを入力しているときに第１供給処理を実行し、ＲＴＣ１６が第２のモードに設定されている状態において電源部１１が外部電源Ｐｅを入力したときに第２供給処理を実行する。このため、この測定装置１では、電源部１１が外部電源Ｐｅを入力したときに第１供給処理および第２供給処理のいずれの処理を実行するかの情報をメモリに記録することなく、電源部１１が外部電源Ｐｅを入力したときのＲＴＣ１６のモードに応じて第１供給処理および第２供給処理のいずれかを実行させることができる。したがって、この測定装置１によれば、このような情報をメモリに記録して作動用電源Ｐｏの供給を開始する際に情報をメモリから読み出す構成と比較して、情報の読み出しに要する時間を不要とすることができる分、供給対象に対する電源供給の開始時間を十分に短縮することができる。
【００５１】
また、この測定装置１では、Ｄ型フリップフロップ２１を備えて電源制御部１４が構成されている。この場合、例えば、第２供給処理を実行する際に、電源スイッチ１３に対する操作の有無を主制御部１７が監視する構成では、監視のために主制御部１７に作動用電源Ｐｏを常時供給する必要がある。これに対して、この測定装置１では、このような主制御部１７による監視を行うことなく、簡易な構成で低消費電力化が可能な電源制御部１４（Ｄ型フリップフロップ２１）の動作によって電源スイッチ１３に対して操作がされたときに第２供給処理を実行させることができる。このため、この測定装置１によれば、主制御部１７による監視のための電力消費を削減することができる結果、電力消費量を低減することができる。
【００５２】
また、この測定装置１によれば、作動用電源Ｐｏによって作動してＲＴＣ１６のモードの設定を制御するクロック制御部としての主制御部１７を備えたことにより、作動用電源Ｐｏとは別の電源で作動するクロック制御部を設けることなくＲＴＣ１６のモードの設定を確実に制御することができるため、このようなクロック制御部用の別の電源を設ける必要がない分、構成を簡易にすることができる。
【００５３】
なお、電子機器は、上記の構成に限定されない。例えば、ＲＴＣ１６が第１のモードに設定されている状態で電源部１１が外部電源Ｐｅを入力したときに第１供給処理を実行し、ＲＴＣ１６が第２のモードに設定されている状態で電源部１１が外部電源Ｐｅを入力したときに第２供給処理を実行する構成例について上記したが、これとは逆に、ＲＴＣ１６が第２のモードに設定されている状態で電源部１１が外部電源Ｐｅを入力したときに第１供給処理を実行し、ＲＴＣ１６が第１のモードに設定されている状態で電源部１１が外部電源Ｐｅを入力したときに第２供給処理を実行する電源制御部を備えた構成を採用することもできる。この構成では、上記したＤ型フリップフロップ２１にＱバー端子を備えたＤ型フリップフロップにおけるＱバー端子の出力信号（Ｑバー信号）を用いて電源部１１を制御することで、上記した電源制御部１４と同様の処理を電源制御部に実行させることができる。
【００５４】
また、作動用電源ＰｏでＤ型フリップフロップ２１を作動させる例について上記したが、作動用電源Ｐｏとは異なる電源（例えば、電池の電源）でＤ型フリップフロップ２１を作動させる構成を採用することもできる。
【００５５】
また、作動用電源Ｐｏで作動するクロック制御部としての主制御部１７を用いてＲＴＣ１６のモードの設定を制御する例について上記したが、作動用電源Ｐｏとは別の電源（例えば、電池の電源）で作動するクロック制御部を用いてＲＴＣ１６のモードの設定を制御する構成を採用することもできる。
【００５６】
また、Ｄ型フリップフロップ２１を備えて電源制御部１４を構成した例について上記したが、他の型のフリップフロップを備えて電源制御部１４を構成することもできる。また、リセットＩＣ２２に代えて、ＣＬＲ信号Ｓｃｌｒを遅延させる（ＣＬＲ信号ＳｃｌｒをＰＲ信号Ｓｐｒよりも遅れて入力させる）遅延回路を用いて電源制御部を構成することもできる。
【００５７】
また、電子機器の一例としての測定装置１に適用した例について上記したが、例えば、記録計、検査装置および家電製品等の電源供給を必要とする各種の電子機器に適用することができる。
【符号の説明】
【００５８】
１  測定装置
１１  電源部
１２  メインスイッチ
１３  電源スイッチ
１４  電源制御部
１５  測定部
１６  リアルタイムクロック
１７  主制御部
２１  Ｄ型フリップフロップ
Ｐｅ  外部電源
Ｐｏ  作動用電源
Ｓｃｋ  ＣＫ信号
Ｓｃｌｒ  ＣＬＲ信号
Ｓｄ  Ｄ信号
Ｓｐｒ  ＰＲ信号
Ｓｑ  Ｑ信号
【図１】
2015126588.tif 000003
【図２】
2015126588.tif 000004
【図３】
2015126588.tif 000005
【図４】
2015126588.tif 000006
【図５】
2015126588.tif 000007
【図６】
2015126588.tif 000008